(57)【要約】【課題】必要なときに必要な通信モジュールを増設でき、かつアンテナ部分がはみ出さない携帯情報端末を提供する。【解決手段】この携帯情報端末は、端末本体１の機能を拡張するために設けられた拡張スロット２と、この拡張スロット２のモジュール挿入口を開閉自在に設けられ、端末本体１に形成された複数のアンテナ５，６にそれぞれ接続される複数の接点部７，８を内面に設けたスロットカバー３と、スロットカバー３と端末本体１に設けられ、スロットカバー３によりモジュール挿入口を閉じたときにスロットカバー３を端末本体１に固定するロック機構１０とを備える。【選択図】図１
2005165414.tif 000002
【特許請求の範囲】
【請求項１】
複数のアンテナを設けた端末本体と、前記端末本体の機能を拡張するために設けられた拡張スロットと、
前記拡張スロットのモジュール挿入口を開閉自在に設けられ、端末本体に形成された複数のアンテナにそれぞれ接続される複数の接点部を内面に設けた蓋体と、
前記蓋体により前記モジュール挿入口を閉じたときに前記蓋体を前記端末本体に取り付ける取付部と
を具備したことを特徴とする携帯情報端末。
【請求項２】
請求項１記載の携帯情報端末において、
前記複数の接点部を、アンテナ毎に異なる位置に配置したことを特徴とする携帯情報端末。
【請求項３】
請求項１記載の携帯情報端末において、
前記複数の接点部を、拡張モジュールから突設された端子部先端に設けた電気接点の位置に対応させて配置したことを特徴とする携帯情報端末。
【発明の詳細な説明】
【技術分野】
【０００１】
本発明は、例えばＰＤＡなどの携帯情報端末に関する。
【背景技術】
【０００２】
例えばPersonal Digital Assistant：ＰＤＡなどの小型な携帯情報端末に、例えば無線ＬＡＮ、bluetooth（登録商標）、テレビチューナなどの通信用モジュールを実装する場合、以下の１），２）の２つの方法がある。
１）端末本体内にアンテナ、通信モジュールを実装する第１の方法。
２）端末本体にスロットを設け、アンテナを含むすべての通信機能を有する通信モジュールを拡張デバイスとしてスロットに装着する第２の方法。
【０００３】
第１の方法の場合、端末本体内にすべてが収まるため形状的にもすっきりした形となる反面、必要とするすべての機能を端末本体内に実装するため、内蔵するモジュールが多くなるにつれて、端末本体の体積や重量が増える。また、不必要な通信モジュールも常に接続されるため、端末全体として消費電力が増加し使用時間が少なくなる。アンテナについては、端末本体の筐体全体に張り巡らせられるので、多くのスペースを必要としない。
【０００４】
第２の方法の場合、必要なモジュールのみを必要なときに実装できる反面、拡張デバイスのアンテナを広げるためのスペースが必要になり、拡張デバイス自体が大きくなる。特に小型なＰＤＡ用の拡張デバイスは、コンパクトフラッシュ（登録商標）、ＳＤカード（登録商標）などといった規格の形状で供給されるため、その形状に対してアンテナ部分が外部にはみ出る形で実装されることになる。
そこで、第１の方法の第２の方法の利点を生かし、ケース本体と蓋体とからなるパーソナルコンピュータ本体の蓋体にアンテナを実装し、ＰＣカード（通信モジュール）をケース本体のＰＣカードスロットに装着するようにした例がある（例えば特許文献１参照）。
【特許文献１】特開２００１−３１２３３９号公報
【発明の開示】
【発明が解決しようとする課題】
【０００５】
しかしながら、上述した先行技術の場合、２つのＰＣカードスロットをケース本体の側面に上下に配置すると共に、それぞれのスロットに装着する通信モジュール専用の同軸コネクタを各スロットの近接位置に設ける構造のため、ノート型コンピュータのような比較的大きな筐体でなければ、実用にならないという問題があった。
【０００６】
本発明はこのような課題を解決するためになされたもので、必要なときに必要な通信モジュールを増設でき、かつアンテナ部分が端末本体からはみ出すことのない携帯情報端末を提供することを目的としている。
【課題を解決するための手段】
【０００７】
上記した課題を解決するために、本発明の携帯情報端末は、複数のアンテナを設けた端末本体と、前記端末本体の機能を拡張するために設けられた拡張スロットと、前記拡張スロットのモジュール挿入口を開閉自在に設けられ、端末本体に形成された複数のアンテナにそれぞれ接続される複数の接点部を内面に設けた蓋体と、前記蓋体により前記モジュール挿入口を閉じたときに前記蓋体を前記端末本体に取り付ける取付部とを具備したことを特徴とする。
【０００８】
請求項２記載の発明の携帯情報端末は、請求項１記載の携帯情報端末において、前記複数の接点部を、アンテナ毎に異なる位置に配置したことを特徴とする。
請求項３記載の発明の携帯情報端末は、請求項１記載の携帯情報端末において、前記複数の接点部を、拡張モジュールから突設された端子部先端に設けた電気接点の位置に対応させて配置したことを特徴とする。
【０００９】
本発明では、端末本体の拡張スロットのモジュール挿入口を開閉する蓋体の内面に、端末本体に形成したアンテナからの接点部を設けたことで、拡張モジュールとアンテナとを分離でき、しかも、端末本体に拡張モジュールを装着した状態で、拡張モジュールとは蓋体の内側で電気的接続が行われるので、端末本体から拡張モジュールあるいはアンテナがはみ出ることもなく、外観上もすっきりする。また、取付部を設けたことで、アンテナとの電気的接続が不安定になることもない。
【発明の効果】
【００１０】
以上説明したように本発明によれば、必要なときに必要な通信モジュールを増設でき、かつアンテナ部分が端末本体からはみ出すことのない携帯情報端末を提供することができる。
【発明を実施するための最良の形態】
【００１１】
以下、本発明の実施の形態を図面を参照して詳細に説明する。
図１は本発明に係る一つの実施の形態の携帯情報端末の構成を示す図、図２は図１の携帯情報端末のスロットカバー部分の拡大図である。
【００１２】
図１示すように、この携帯情報端末は、液晶ディスプレイ４、操作ボタン９を搭載した端末本体１と、この端末本体１に携帯情報端末の機能を拡張するために設けられた拡張スロット２と、この拡張スロット２のモジュール挿入口を開閉自在に設けられた蓋体としてのスロットカバー３と、スロットカバー３と端末本体１とにまたがって設けられ、スロットカバー３によりモジュール挿入口を閉じたときにスロットカバー３を端末本体１に取り付ける取付部（固定部）としてのロック機構１０とを備えている。
端末本体１の表面の液晶ディスプレイ４を避けたい位置には、複数のアンテナ５、６がパターニング、あるいは貼り付けなどにより設けられている。アンテナ５は、例えばＩＥＥＥ８０２．１１ｂ規格に準拠した無線ＬＡＮ用のものであり、２．４ＧＨｚ帯の電波を受信可能なものである。アンテナ６は、例えばＩＥＥＥ８０２．１１ａ規格に準拠した無線ＬＡＮ用のものであり、５．２ＧＨｚ帯の電波を受信可能なものである。
【００１３】
図２に示すように、スロットカバー３の内面には、端末本体１に形成された複数のアンテナ５、６にそれぞれ接続される複数の接点部７，８が設けられている。接点部７は5.2GHz用のエリアに形成されている。接点部８は2.4GHz用のエリアに形成されている。エリアは、例えばスロットカバー３の内面を横方向に細かく区分けすることで無線ＬＡＮ以外の通信モジュールにも対応させることができる。
スロットカバー３は、拡張スロット２の左右の側壁部分で軸支されている。軸支部分は、左右とも導電材料のもの（金属製）であり、右側がアンテナ５からの配線の一部をなし、左側がアンテナ６からの配線の一部をなす。
【００１４】
ロック機構１０は、端末本体１の上面に設けられた溝部１１と、スロットカバー３に設けられ、スロットカバー３でモジュール挿入口を閉じたときに溝部１１に引っ掛かり、スロットカバー３をモジュール挿入口を塞いだ状態で端末本体１にロックする爪部１２とからなる。なお、爪と溝の関係は逆でも良い。この位置では、拡張デバイスである通信モジュール２０が拡張スロット２に装着されていた場合、スロットカバー３の内面に設けられた接点部７（あるいは接点部８）が通信モジュール２０に設けられた端子部２１に当たり電気的に導通する。
【００１５】
この携帯情報端末の場合、アンテナ５，６は、端末本体１側に実装されている。端末本体１側のアンテナ５，６は、通信モジュール２０毎に複数実装されている。
通信モジュール２０には、アンテナ５，６を除いた通信機能の部分が実装されている。また、通信モジュール２０には、アンテナ接続用の端子部２１が該当アンテナ用の接点部７，８の位置に対応したエリアに突設されている。
【００１６】
この携帯情報端末では、通信モジュール２０を端末本体１の拡張スロット２に取り付ける場合、通信モジュール２０を拡張スロット２に挿入した後、スロットカバー３を閉じ、ロック機構１０の爪部１２を溝部１１に引っ掛けて取り付ける（係止する）ことで通信モジュール２０と、この通信モジュール２０が使用するアンテナ５（あるいはアンテナ６）とが自動的に接続される。
例えば通信モジュール２０がＩＥＥＥ８０２．１１ｂ規格に準拠した無線ＬＡＮカードであれば、アンテナ５からの接点部８に接続される。また、通信モジュール２０がＩＥＥＥ８０２．１１ａ規格に準拠した無線ＬＡＮカードであれば、通信モジュール２０に設けられる端子部の位置（エリア）がずれ、アンテナ６からの接点部７に接続される。
【００１７】
このようにこの実施形態の携帯情報端末によれば、ユーザは、通信モジュール２０を端末本体１の拡張スロット２に装着し、スロットカバー３を閉めてロックするといった通信モジュール２０の装着作業を行うだけで、アンテナ５，６の選択・接続も意識することなく通信を行える状態に簡単にできる。
すなわち、本実施形態では、必要なときに必要な通信モジュール２０を増設でき、かつアンテナ部分が端末本体１からはみ出すことのない携帯情報端末を提供することができる。
【００１８】
本発明は上記実施形態に限定されるものではない。
上記実施形態では、ＩＥＥＥ８０２．１１規格に準拠した無線ＬＡＮに対応する接点部７，８を例に上げ、それぞれの配置をスロットカバー３の左右端としたが、この他、アナログテレビジョン放送用、Bluetooth用、ＡＭラジオ用、ＦＭラジオ用、ＧＰＳ用などについてもスロットカバー３の内面の範囲内でエリアを決めて設けてもよい。
上記実施形態では、通信モジュール２０の端子部２１の突設位置を変えて、該当する端末本体１側のアンテナ５，６と接続を行う例について説明したが、この他、例えば図３に示すように、スロットカバー３には、通信モジュール２０から突設された端子部２１の先端に複数の電気接点２２，２３を設け、電気接点２２，２３の位置に対応させて複数の接点部７ａ，８ａを配置しても良い。つまり、通信モジュール２０から突設した端子部２１の中に異なるアンテナ用（周波数用）の接点を割り当てるものである。
この例では、端子部２１を含む通信モジュール２０の外形状を変えることなく、異なるアンテナ５，６に接続することができる。
また、上記実施形態では、通信モジュール２０側を凸部とし、スロットカバー３の接点部７，８（平面）に当接する形態としたが、逆に、通信モジュール２０側を平面とし、スロットカバー３の接点部７，８を凸部としてもよい。また、各端子部あるいは接点部は、平面でなくコネクタやソケットなどの形状であってもよい。
【図面の簡単な説明】
【００１９】
【図１】この実施形態の携帯情報端末の概観図である。
【図２】図１の携帯情報端末のスロットカバー部分の拡大図である。
【図３】スロットカバー内面の接点部と通信モジュールの端子部との接続構造の他の例を示す図である。
【符号の説明】
【００２０】
１…端末本体、２…拡張スロット、３…スロットカバー、５，６…アンテナ、７，８…接点部、１０…ロック機構、１１…溝部、１２…爪部、２０…通信モジュール、２１…端子部。
【図１】
2005165414.tif 000003
【図２】
2005165414.tif 000004
【図３】
2005165414.tif 000005